(57)【特許請求の範囲】
【請求項１】
冷蔵室が複数の収納スペースに仕切られ、前記冷蔵室内には、前記複数の収納スペース内の貯蔵物品の温度をそれぞれ感知するための赤外線センシング装置が配置され、冷蔵庫には、冷熱源からの冷却気流を前記複数の収納スペースに割り当てるように構成される分岐送風装置が配置されている、前記冷蔵庫の冷蔵室の区画冷却制御方法であって、
前記冷蔵室が冷却状態になることを特定することと、
前記赤外線センシング装置で感知された前記複数の収納スペース内の貯蔵物品の温度を取得することと、
各前記収納スペース内の貯蔵物品の温度を各前記収納スペースごとに予め設定された領域冷却オン温度閾値とそれぞれ比較することと、
前記物品温度が前記領域冷却オン温度閾値よりも大きい収納スペースに対応する冷却状態識別子をオンに設定することと、
前記分岐送風装置を駆動して、前記冷却状態識別子がオンの収納スペースに前記冷却気流が供給される状態まで稼動させることとを含むことを特徴とする冷蔵庫の冷蔵室の区画冷却制御方法。
【請求項２】
前記冷蔵室内には、さらに、前記冷蔵室の内部環境平均温度を感知するための冷藏環境温度センシング装置が配置されており、
前記冷蔵室が冷却状態になることを特定するステップは、
前記冷蔵室の内部環境平均温度を取得することと、
前記冷蔵室の内部環境平均温度が予め設定された全体冷却オン温度閾値以上であるか否かを判断することと、
冷蔵室の内部環境平均温度が予め設定された全体冷却オン温度閾値以上であれば、前記冷熱源と前記分岐送風装置との間に配置された冷蔵ダンパを開放して前記冷蔵室を冷却状態に入らせることとをさらに含むことを特徴とする請求項１に記載の方法。
【請求項３】
前記冷蔵室の内部環境平均温度が予め設定された全体冷却オン温度閾値よりも小さい場合、前記冷蔵ダンパが開状態であるか否かを判断し、
前記冷蔵ダンパが開状態であれば、前記冷蔵室の内部環境平均温度及び／又は各前記収納スペース内の貯蔵物品の温度が予め設定された冷蔵室冷却停止条件を満たすか否かを判断し、
前記冷蔵室冷却停止条件を満たすとき、前記冷蔵ダンパを閉鎖することを特徴とする請求項２に記載の方法。
【請求項４】
前記冷蔵室冷却停止条件は、
各前記収納スペース内の貯蔵物品の温度が何れも各前記収納スペースごとに予め設定された領域冷却オフ温度閾値よりも小さく、各前記収納スペースの前記領域冷却オフ温度閾値が前記領域冷却オン温度閾値よりも小さいこと、または、
前記冷蔵室の内部環境平均温度が予め設定された全体冷却オフ温度閾値よりも小さいことを含むことを特徴とする請求項３に記載の方法。
【請求項５】
前記冷蔵室冷却停止条件は、
前記冷蔵室の内部環境平均温度が予め設定された全体冷却オフ温度閾値よりも小さい場合、各前記収納スペース内の貯蔵物品の温度が何れも各前記収納スペースごとに予め設定された領域冷却オン温度閾値よりも小さく、各前記収納スペースの領域冷却オフ温度閾値が領域冷却オン温度閾値よりも小さいこと、または、
前記全体冷却オフ温度閾値から前記冷蔵室の内部環境平均温度を差し引いた差分が予め設定された余裕値よりも大きいことを含むことを特徴とする請求項３に記載の方法。
【請求項６】
各前記収納スペース内の貯蔵物品の温度を各前記収納スペースごとに予め設定された領域冷却オン温度閾値とそれぞれ比較するステップの後に、
各前記収納スペース内の貯蔵物品の温度を各前記収納スペースごとに予め設定された領域冷却オフ温度閾値とそれぞれ比較することと、
前記物品温度が前記領域冷却オフ温度閾値よりも小さい収納スペースに対応する冷却状態識別子をオフに設定することとをさらに含み、
各前記収納スペースの前記領域冷却オフ温度閾値が前記領域冷却オン温度閾値よりも小さいことを特徴とする請求項１に記載の方法。
【請求項７】
前記冷蔵室が冷却状態になることを特定するステップの前に、
前記冷蔵庫の電源投入起動信号を取得することと、
前記冷蔵庫の冷却システムを初期化することとをさらに含み、
前記冷却システムが圧縮機、冷蔵ダンパ、ファン、及び前記分岐送風装置を含むことを特徴とする請求項１〜６の何れか一項に記載の方法。
【請求項８】
前記冷蔵庫の冷却システムを初期化するステップは、
前記圧縮機、前記ファン及び前記冷蔵ダンパをオフとし、前記分岐送風装置を駆動して初期位置まで稼動させることを含むことを特徴とする請求項７に記載の方法。
【請求項９】
前記冷蔵庫は、さらに、冷凍室を含み、
前記冷蔵庫の冷却システムを初期化した後、
前記冷凍室の温度を取得し、前記冷凍室の温度に基づいて前記冷凍室の冷却判断を行なって、前記圧縮機、前記ファン及び前記冷蔵ダンパの起動／停止状態を調節することと、
前記冷凍室の冷却判断が完了した後、前記冷蔵室が冷却状態になることを特定するステップを起動することとをさらに含むことを特徴とする請求項８に記載の方法。
【請求項１０】
冷蔵室が複数の収納スペースに仕切られ、冷蔵室内には、前記複数の収納スペース内の貯蔵物品の温度をそれぞれ感知するための赤外線センシング装置が配置され、冷蔵庫には、冷熱源からの冷却気流を前記複数の収納スペースに割り当てるように構成される分岐送風装置が配置されている、前記冷蔵庫の冷蔵室の区画冷却制御装置であって、
前記冷蔵室が冷却状態になることを特定するように構成される状態特定モジュールと、
前記赤外線センシング装置で感知された前記複数の収納スペース内の貯蔵物品の温度を取得するように構成される第１温度取得モジュールと、
各前記収納スペース内の貯蔵物品の温度を各前記収納スペースごとに予め設定された領域冷却オン温度閾値とそれぞれ比較するように構成される第１比較モジュールと、
前記物品温度が前記領域冷却オン温度閾値よりも大きい収納スペースに対応する冷却状態識別子をオンに設定するように構成される識別子設定モジュールと、
前記分岐送風装置を駆動して、前記冷却状態識別子がオンの前記収納スペースに冷却気流が供給される状態まで稼動させるように構成される駆動モジュールと、を含むことを特徴とする区画冷却制御装置。
【請求項１１】
前記冷蔵室内には、さらに、前記冷蔵室の内部環境平均温度を感知するための冷藏環境温度センシング装置が配置されており、
前記区画冷却制御装置は、
前記冷蔵室の内部環境平均温度を取得するように構成される第２温度取得モジュールと、
前記冷蔵室の内部環境平均温度が予め設定された全体冷却オン温度閾値以上であるか否かを判断するように構成される環境温度判断モジュールと、
前記環境温度判断モジュールの判断結果がＹＥＳであれば、前記冷熱源と前記分岐送風装置との間に配置された冷蔵ダンパを開放して前記冷蔵室を冷却状態に入らせるように構成されるダンパ制御モジュールとをさらに含むことを特徴とする請求項１０に記載の区画冷却制御装置。
【請求項１２】
前記ダンパ制御モジュールは、さらに、
前記冷蔵室の内部環境平均温度が予め設定された全体冷却オン温度閾値よりも小さい場合、前記冷蔵ダンパが開状態であるか否かを判断し、
前記冷蔵ダンパが開状態であれば、前記冷蔵室の内部環境平均温度及び／又は各前記収納スペース内の貯蔵物品の温度が予め設定された冷蔵室冷却停止条件を満たすか否かを判断し、
前記冷蔵室冷却停止条件を満たすとき、前記冷蔵ダンパを閉鎖するように構成されることを特徴とする請求項１１に記載の区画冷却制御装置。
【請求項１３】
前記冷蔵室冷却停止条件は、
各前記収納スペース内の貯蔵物品の温度が何れも各前記収納スペースごとに予め設定された領域冷却オフ温度閾値よりも小さく、各前記収納スペースの前記領域冷却オフ温度閾値が前記領域冷却オン温度閾値よりも小さいこと、または、
前記冷蔵室の内部環境平均温度が予め設定された全体冷却オフ温度閾値よりも小さいことを含むことを特徴とする請求項１２に記載の区画冷却制御装置。
【請求項１４】
前記冷蔵室冷却停止条件は、
前記冷蔵室の内部環境平均温度が予め設定された全体冷却オフ温度閾値よりも小さい場合、各前記収納スペース内の貯蔵物品の温度が何れも各前記収納スペースごとに予め設定された領域冷却オン温度閾値よりも小さく、各前記収納スペースの前記領域冷却オフ温度閾値が前記領域冷却オン温度閾値よりも小さいこと、または、
前記全体冷却オフ温度閾値から前記冷蔵室の内部環境平均温度を差し引いた差分が予め設定された余裕値よりも大きいことを含むことを特徴とする請求項１２に記載の区画冷却制御装置。
【請求項１５】
各前記収納スペース内の貯蔵物品の温度を各前記収納スペースごとに予め設定された領域冷却オフ温度閾値とそれぞれ比較するように構成される第２比較モジュールをさらに含み、
前記識別子設定モジュールは、さらに、前記物品温度が前記領域冷却オフ温度閾値よりも小さい収納スペースに対応する冷却状態識別子をオフに設定するように構成され、
各前記収納スペースの前記領域冷却オフ温度閾値が前記領域冷却オン温度閾値よりも小さいことを特徴とする請求項１０に記載の区画冷却制御装置。
【請求項１６】
前記冷蔵庫の電源投入起動信号を取得し、且つ前記冷蔵庫の冷却システムを初期化するように構成される初期化モジュールをさらに含み、
前記冷却システムが圧縮機、冷蔵ダンパ、ファン及び前記分岐送風装置を含むことを特徴とする請求項１０〜１５の何れか一項に記載の区画冷却制御装置。
【請求項１７】
前記初期化モジュールは、さらに、
前記圧縮機、前記ファン及び前記冷蔵ダンパをオフとし、前記分岐送風装置を駆動して初期位置まで稼動させるように構成されることを特徴とする請求項１６に記載の区画冷却制御装置。
【請求項１８】
前記冷蔵庫は、さらに、冷凍室を含み、
前記区画冷却制御装置は、
前記冷凍室の温度を取得し、前記冷凍室の温度に基づいて前記冷凍室の冷却判断を行なって、前記圧縮機、前記ファン及び前記冷蔵ダンパの起動／停止状態を調節するように構成される第３温度取得モジュールをさらに含み、
前記状態特定モジュールは、さらに、前記冷凍室の冷却判断が完了した後、前記冷蔵室が冷却状態になることを特定するように構成されることを特徴とする請求項１７に記載の区画冷却制御装置。
【発明の詳細な説明】
【技術分野】
【０００１】
本発明は、冷蔵庫制御に関し、特に冷蔵庫の冷蔵室の区画冷却制御方法及び区画冷却制御装置に関する。
【背景技術】
【０００２】
従来の冷蔵庫は、通常、冷蔵室内部に配置された温度センサを利用してその配置位置周囲の温度を感知し、当該温度を冷却制御の依拠とする。
【０００３】
しかしながら、このような制御方式を用いて冷蔵庫制御を行なう際に、温度センサで測定された温度が所定値よりも高いとき、冷蔵庫の冷蔵室は冷却を起動する。冷蔵室がラック仕切板によって相対的に独立する複数の収納スペースに仕切られる場合、物品を置いたばかりの収納スペース内の温度が他の収納スペースよりも高い可能性があり、従来の冷蔵庫温度制御方法を使用するには、冷蔵収納仕切室全体を冷却する必要がある。これによって、電気エネルギーが無駄遣いになり、冷蔵室の容積が大きな場合には特に顕著である。
【０００４】
また、冷蔵庫の冷蔵室の実際使用過程において、使用者はよく貯蔵された物品を取り出し／貯蔵する。置かれたばかりの物品は一般的に温度が高く、物品の温度が熱放射により冷蔵室全体に伝達されるのに時間がかかる。その一方、物品温度が冷蔵室環境に伝達されてから、始めて温度センサで感知された温度が上昇する。その際、圧縮機などの冷熱源装置が起動されて冷蔵室を冷却する。この過程において、物品の温度がそれに接触する他の物品に伝達される恐れがあるため、冷蔵庫内に貯蔵された食物温度が変化し、栄養が流失し、貯蔵効果が低下してしまう。
【発明の概要】
【発明が解決しようとする課題】
【０００５】
本発明の１つの更なる目的は、冷蔵庫が冷却を行なうために消費する電気エネルギーを低減することにある。
【０００６】
本発明の別の更なる目的は、物品に対する冷蔵庫の貯蔵効果を向上させることにある。
【課題を解決するための手段】
【０００７】
特に、本発明は、冷蔵庫の冷蔵室の区画冷却制御方法及び区画冷却制御装置を提供する。当該冷蔵庫の冷蔵室が複数の収納スペースに仕切られ、冷蔵室内には、収納スペース内の貯蔵物品の温度をそれぞれ感知するための赤外線センシング装置が配置され、冷蔵庫には、冷熱源からの冷却気流を複数の収納スペースに割り当てるように構成される分岐送風装置が配置されており、当該区画冷却制御方法は、冷蔵室が冷却状態になることを特定することと、赤外線センシング装置で感知された複数の収納スペース内の貯蔵物品の温度を取得することと、各収納スペース内の貯蔵物品の温度を各収納スペースごとに予め設定された領域冷却オン温度閾値とそれぞれ比較することと、物品温度が領域冷却オン温度閾値よりも大きい収納スペースに対応する冷却状態識別子をオンに設定することと、分岐送風装置を駆動して、冷却状態識別子がオンの収納スペースに冷却気流が供給される状態まで稼動させることとを含む。
【０００８】
好ましくは、冷蔵室内には、さらに、冷蔵室の内部環境平均温度を感知するための冷藏環境温度センシング装置が配置されており、以上の区画冷却制御方法における、冷蔵室が冷却状態になることを特定するステップは、冷蔵室の内部環境平均温度を取得することと、冷蔵室の内部環境平均温度が予め設定された全体冷却オン温度閾値以上であるか否かを判断することと、冷蔵室の内部環境平均温度が予め設定された全体冷却オン温度閾値以上であれば、冷熱源と分岐送風装置との間に配置された冷蔵ダンパを開放して冷蔵室を冷却状態に入らせることとをさらに含む。
【０００９】
好ましくは、冷蔵室の内部環境平均温度が予め設定された全体冷却オン温度閾値よりも小さい場合、冷蔵ダンパが開状態であるか否かを判断し、前記冷蔵ダンパが開状態であれば、冷蔵室の内部環境平均温度及び／又は各収納スペース内の貯蔵物品の温度が予め設定された冷蔵室冷却停止条件を満たすか否かを判断し、冷蔵室冷却停止条件を満たすとき、冷蔵ダンパを閉鎖する。
【００１０】
好ましくは、以上の冷蔵室冷却停止条件は、各収納スペース内の貯蔵物品の温度が何れも各収納スペースごとに予め設定された領域冷却オフ温度閾値よりも小さく、各収納スペースの領域冷却オフ温度閾値が領域冷却オン温度閾値よりも小さいこと、または、冷蔵室の内部環境平均温度が予め設定された全体冷却オフ温度閾値よりも小さいことを含む。
【００１１】
好ましくは、冷蔵室冷却停止条件は、冷蔵室の内部環境平均温度が予め設定された全体冷却オフ温度閾値よりも小さい場合、各収納スペース内の貯蔵物品の温度が何れも各収納スペースごとに予め設定された領域冷却オン温度閾値よりも小さく、各収納スペースの領域冷却オフ温度閾値が領域冷却オン温度閾値よりも小さいこと、または、全体冷却オフ温度閾値から冷蔵室の内部環境平均温度を差し引いた差分が予め設定された余裕値よりも大きいことを含む。
【００１２】
好ましくは、各収納スペース内の貯蔵物品の温度を各収納スペースごとに予め設定された領域冷却オン温度閾値とそれぞれ比較するステップの後に、各収納スペース内の貯蔵物品の温度を各収納スペースごとに予め設定された領域冷却オフ温度閾値とそれぞれ比較することと、物品温度が領域冷却オフ温度閾値よりも小さい収納スペースに対応する冷却状態識別子をオフに設定することとをさらに含み、各収納スペースの領域冷却オフ温度閾値が領域冷却オン温度閾値よりも小さい。
【００１３】
好ましくは、冷蔵室が冷却状態になることを特定するステップの前に、冷蔵庫の電源投入起動信号を取得することと、冷蔵庫の冷却システムを初期化することとをさらに含み、冷却システムが圧縮機、冷蔵ダンパ、ファン、及び分岐送風装置を含む。
【００１４】
好ましくは、冷蔵庫の冷却システムを初期化するステップは、圧縮機、ファン及び冷蔵ダンパをオフとし、分岐送風装置を駆動して初期位置まで稼動させることを含む。
【００１５】
好ましくは、冷蔵庫は、さらに、冷凍室を含み、冷蔵庫の冷却システムを初期化した後、冷凍室の温度に基づいて冷凍室の冷却判断を行なって、圧縮機、ファン及び冷蔵ダンパの起動／停止状態を調節することと、前記冷凍室の冷却判断が完了した後、冷蔵室が冷却状態になることを特定するステップを起動することとをさらに含む。
【００１６】
本発明の別の態様によれば、さらに、冷蔵庫の冷蔵室の区画冷却制御装置を提供する。冷蔵室が複数の収納スペースに仕切られ、冷蔵室内には、収納スペース内の貯蔵物品の温度をそれぞれ感知するための赤外線センシング装置が配置され、冷蔵庫には、冷熱源からの冷却気流を複数の収納スペースに割り当てるように構成される分岐送風装置が配置されており、区画冷却制御装置は、冷蔵室が冷却状態になることを特定するように構成される状態特定モジュールと、赤外線センシング装置で感知された複数の収納スペース内の貯蔵物品の温度を取得するように構成される第１温度取得モジュールと、各収納スペース内の貯蔵物品の温度を各収納スペースごとに予め設定された領域冷却オン温度閾値とそれぞれ比較するように構成される第１比較モジュールと、物品温度が領域冷却オン温度閾値よりも大きい収納スペースに対応する冷却状態識別子をオンに設定するように構成される識別子設定モジュールと、分岐送風装置を駆動して、冷却状態識別子がオンの収納スペースに冷却気流が供給される状態まで稼動させるように構成される駆動モジュールとを含む。
【００１７】
好ましくは、冷蔵室内には、さらに、冷蔵室の内部環境平均温度を感知するための冷藏環境温度センシング装置が配置されており、区画冷却制御装置は、冷蔵室の内部環境平均温度を取得するように構成される第２温度取得モジュールと、冷蔵室の内部環境平均温度が予め設定された全体冷却オン温度閾値以上であるか否かを判断するように構成される環境温度判断モジュールと、環境温度判断モジュールの判断結果がＹＥＳであれば、冷熱源と分岐送風装置との間に配置された冷蔵ダンパを開放して冷蔵室を冷却状態に入らせるように構成されるダンパ制御モジュールとをさらに含む。
【００１８】
好ましくは、ダンパ制御モジュールは、さらに、冷蔵室の内部環境平均温度が予め設定された全体冷却オン温度閾値よりも小さい場合、冷蔵ダンパが開状態であるか否かを判断し、前記冷蔵ダンパが開状態であれば、冷蔵室の内部環境平均温度及び／又は各収納スペース内の貯蔵物品の温度が予め設定された冷蔵室冷却停止条件を満たすか否かを判断し、冷蔵室冷却停止条件を満たすとき、冷蔵ダンパを閉鎖するように構成される。
【００１９】
好ましくは、冷蔵室冷却停止条件は、各収納スペース内の貯蔵物品の温度が何れも各収納スペースごとに予め設定された領域冷却オフ温度閾値よりも小さく、各収納スペースの領域冷却オフ温度閾値が領域冷却オン温度閾値よりも小さいこと、または、冷蔵室の内部環境平均温度が予め設定された全体冷却オフ温度閾値よりも小さいことを含む。
【００２０】
好ましくは、冷蔵室冷却停止条件は、冷蔵室の内部環境平均温度が予め設定された全体冷却オフ温度閾値よりも小さい場合、各収納スペース内の貯蔵物品の温度が何れも各収納スペースごとに予め設定された領域冷却オン温度閾値よりも小さく、各収納スペースの領域冷却オフ温度閾値が領域冷却オン温度閾値よりも小さいこと、または、全体冷却オフ温度閾値から冷蔵室の内部環境平均温度を差し引いた差分が予め設定された余裕値よりも大きいことを含む。
【００２１】
好ましくは、以上の区画冷却制御装置は、各収納スペース内の貯蔵物品の温度を各収納スペースごとに予め設定された領域冷却オフ温度閾値とそれぞれ比較するように構成される第２比較モジュールをさらに含み、識別子設定モジュールは、さらに、物品温度が領域冷却オフ温度閾値よりも小さい収納スペースに対応する冷却状態識別子をオフに設定するように構成され、各収納スペースの領域冷却オフ温度閾値が領域冷却オン温度閾値よりも小さい。
【００２２】
好ましくは、以上の区画冷却制御装置は、冷蔵庫の電源投入起動信号を取得し、且つ冷蔵庫の冷却システムを初期化するように構成される初期化モジュールをさらに含み、冷却システムが圧縮機、冷蔵ダンパ、ファン及び分岐送風装置を含む。
【００２３】
好ましくは、初期化モジュールは、さらに、圧縮機、ファン及び冷蔵ダンパをオフとし、分岐送風装置を駆動して初期位置まで稼動させるように構成される。
【００２４】
好ましくは、冷蔵庫は、さらに、冷凍室を含み、区画冷却制御装置は、冷凍室の温度を取得し、前記冷凍室の温度に基づいて前記冷凍室の冷却判断を行なって、前記圧縮機、前記ファン及び前記冷蔵ダンパの起動／停止状態を調節するように構成される第３温度取得モジュールをさらに含み、前記状態特定モジュールは、さらに、前記冷凍室の冷却判断が完了した後、冷蔵室が冷却状態になることを特定するように構成される。
【発明の効果】
【００２５】
本発明の冷蔵庫の冷蔵室の区画冷却制御方法及び区画冷却制御装置は、冷蔵庫の冷蔵室が複数の収納スペースに仕切られている場合に適用し、冷蔵室が冷却状態になった後、赤外線センシング装置で感知された複数の収納スペース内の貯蔵物品の温度を利用して、置かれた物品が放射した赤外線照射エネルギーを受信することにより冷蔵庫内の熱源の位置と温度を正確に特定し、感知して得られた貯蔵物品の温度と予め設定された領域冷却オン温度閾値とを比較し、比較結果に応じて各収納スペースに対する冷却状態を特定し、分岐送風装置が冷却状態に応じて冷却気流を各収納スペース内に割り当てることで、制御がより精確となり、収納スペースの貯蔵物品の状況に応じて冷却制御を行なうことを保証し、全体冷蔵室を冷却する電気エネルギーが無駄遣いになることを回避する。
【００２６】
さらに、本発明の冷蔵庫の冷蔵室の区画冷却制御方法及び区画冷却制御装置は、温度が高い物品を快速に降温することができ、温度が高い物品からの貯蔵された他の物品に対する影響を低減し、冷蔵庫の冷蔵室の貯蔵効果を向上させ、食物の栄養流失を低減する。
【００２７】
さらに、本発明の冷蔵庫の冷蔵室の区画冷却制御方法及び区画冷却制御装置は、冷蔵室内全体環境温度及び各収納スペース内貯蔵物品の温度に対する総合判断により、冷蔵室の冷却方式を対応するように調整し、冷蔵室冷却制御の柔軟性を向上させ、ユーザの異なる使用習慣の要求を満たす。
【００２８】
以下、本発明の実施例を図面を参照しながら詳細に説明する。これにより、本発明の上述及び他の目的、メリット、特徴は、当業者にとって明らかになる。
【００２９】
後述では、本発明の一部の実施例を図面に基づいて詳細に説明する。ただし、以下の説明は、例示に過ぎず、本発明を制限するものではない。図面における同じ図面符号は、同一または類似の部材または部分を示す。これら図面が同じ縮尺で描かれているとは限らないということは、当業者であれば理解されるであろう。
【図面の簡単な説明】
【００３０】
【図１】本発明の一実施例に係る冷蔵庫の冷蔵室の区画冷却制御装置が適用される冷蔵庫の概略構成図である。
【図２】本発明の一実施例に係る冷蔵庫の冷蔵室の区画冷却制御装置が適用される冷蔵庫の冷蔵室内部部材の概略構成図である。
【図３】本発明の一実施例に係る冷蔵庫の冷蔵室の区画冷却制御装置が適用される冷蔵庫の冷蔵室内部部材の別の概略構成図である。
【図４】本発明の一実施例に係る冷蔵庫の冷蔵室の区画冷却制御装置が適用される冷蔵庫の赤外線センシング装置の伝動機構の概略構成図である。
【図５】本発明の一実施例に係る冷蔵庫の冷蔵室の区画冷却制御装置が適用される冷蔵庫の冷却システムの模式図である。
【図６】本発明の一実施例に係る冷蔵庫の冷蔵室の区画冷却制御装置が適用される冷蔵庫の冷却システムにおける風路アセンブリの模式図である。
【図７】本発明の一実施例に係る冷蔵庫の冷蔵室の区画冷却制御装置の概略ブロック図である。
【図８】本発明の一実施例に係る冷蔵庫の冷蔵室の区画冷却制御方法の模式図である。
【図９】本発明の一実施例に係る冷蔵庫の冷蔵室の区画冷却制御方法の全体フローブロック図である。
【図１０】本発明の一実施例に係る冷蔵庫の冷蔵室の区画冷却制御方法における冷蔵庫冷却システム初期化のフローチャートである。
【図１１】本発明の一実施例に係る冷蔵庫の冷蔵室の区画冷却制御方法における冷凍室の冷却制御のロジックフローチャートである。
【図１２】本発明の一実施例に係る冷蔵庫の冷蔵室の区画冷却制御方法における加速冷却フローのロジックフローチャートである。
【図１３】本発明の一実施例に係る冷蔵庫の冷蔵室の区画冷却制御方法が適用される冷蔵庫における分岐送風装置の様々な稼動状態をそれぞれ示す。
【図１４】本発明の一実施例に係る冷蔵庫の冷蔵室の区画冷却制御方法が適用される冷蔵庫における分岐送風装置の様々な稼動状態をそれぞれ示す。
【図１５】本発明の一実施例に係る冷蔵庫の冷蔵室の区画冷却制御方法が適用される冷蔵庫における分岐送風装置の様々な稼動状態をそれぞれ示す。
【図１６】本発明の一実施例に係る冷蔵庫の冷蔵室の区画冷却制御方法が適用される冷蔵庫における分岐送風装置の様々な稼動状態をそれぞれ示す。
【図１７】本発明の一実施例に係る冷蔵庫の冷蔵室の区画冷却制御方法が適用される冷蔵庫における分岐送風装置の様々な稼動状態をそれぞれ示す。
【図１８】本発明の一実施例に係る冷蔵庫の冷蔵室の区画冷却制御方法が適用される冷蔵庫における分岐送風装置の様々な稼動状態をそれぞれ示す。
【図１９】本発明の一実施例に係る冷蔵庫の冷蔵室の区画冷却制御方法が適用される冷蔵庫における分岐送風装置の様々な稼動状態をそれぞれ示す。
【図２０】本発明の一実施例に係る冷蔵庫の冷蔵室の区画冷却制御方法が適用される冷蔵庫における分岐送風装置の様々な稼動状態をそれぞれ示す。
【図２１】本発明の一実施例に係る冷蔵庫の冷蔵室の区画冷却制御方法における通常冷却フローのロジックフローチャートである。
【図２２】本発明の一実施例に係る冷蔵庫の冷蔵室の区画冷却制御方法における冷蔵室冷却停止を判断するロジックフローチャートである。
【発明を実施するための形態】
【００３１】
図１は、本発明の一実施例に係る冷蔵庫の冷蔵室の区画冷却制御装置が適用される冷蔵庫の概略構成図である。冷蔵庫の内部構造を示すために、扉体を示していない。当該冷蔵庫は一般的に、ケース１１０、ラックアセンブリ１２０、赤外線センシング装置１３０を含んでもよい。
【００３２】
ケース１１０は、天壁、底壁、後壁及び左右の２つの側壁によって囲まれてなる。ケース１１０の前方には、扉体（図示せず）が配置されている。扉体は、ピボット軸構造を用いて側壁に接続されてもよい。ケース１１０の内部には、冷蔵室が区画されている。
【００３３】
図２は、本発明の一実施例に係る冷蔵庫の冷蔵室の区画冷却制御装置が適用される冷蔵庫の冷蔵室内部部材の概略構成図である。ラックアセンブリ１２０は、冷蔵室を複数の収納スペース１４０に仕切っている。好ましい構造としては、ラックアセンブリ１２０は、冷蔵室を垂直方向において複数の収納スペース１４０に仕切るように、水平に設けられた仕切板を少なくとも１つ含む。図２では、ラックアセンブリ１２０は、第１仕切板１２１、第２仕切板１２２、第３仕切板１２３を含み、第１仕切板１２１の上方には、第１収納スペースが形成され、第１仕切板１２１と第２仕切板１２２との間には、第２収納スペースが形成され、第２仕切板１２２と第３仕切板１２３との間には、第３収納スペースが形成される。本発明の別の一部の実施例では、ラックアセンブリ１２０における仕切板の数及び収納スペース１４０の数が、冷蔵庫の容積及び使用要求に応じて予め設計されてもよい。
【００３４】
図２に示す実施例では、赤外線センシング装置１３０が複数ある。各赤外線センシング装置１３０は、１つの収納スペース１４０のケース１１０の内壁に配置されており、物品１５０の表面温度を特定するために、収納スペース１４０に置かれた物品１５０が放射した赤外線照射エネルギーを感知するように構成される。図２に示す実施例では、第１収納スペースには、第１赤外線センシング装置が配置され、第２収納スペースには、第２赤外線センシング装置が配置され、第３収納スペースには、第３赤外線センシング装置が配置されており、赤外線センシング装置の数が収納スペース１４０の数に応じて設定される。
【００３５】
図３は、本発明の一実施例に係る冷蔵庫の冷蔵室の区画冷却制御装置が適用される冷蔵庫の冷蔵室内部部材の別の概略構成図である。当該冷蔵庫では、赤外線センシング装置１３０のハードウェアコストを節約するために、螺旋伝動アセンブリ３００を用いて１つの赤外線センシング装置１３０を連動させて複数の収納スペースの物品温度を感知する。
【００３６】
螺旋伝動アセンブリ３００は冷蔵室内部に立設されており、スクリュ３１０、ナット３２０、及びストッパを含む。スクリュ３１０は立設され、且つ、複数の収納スペース１４０を挿通する。ナット３２０は、ねじを介してスクリュ３１０と噛み合う。ストッパを利用して冷蔵室に対するナット３２０の回転角度を規定し、これによって、スクリュ３１０がその軸方向を中心として回動するとき、ナット３２０の垂直移動を連動させる。スクリュ３１０は、伝動モータ３１１の駆動により、スクリュ３１０の軸方向を中心として回転できる。ストッパがナット３２０の角度を規定しているため、ナット３２０はスクリュ３１０の回転中において上下移動する。本実施例の冷蔵庫において、スクリュ３１０とナット３２０としては、スライド螺旋伝動を用いてもよく、スクロール螺旋伝動を用いてもよく、旋回運動を直線運動に変換し、ナット３２０を連動させて垂直方向の上下移動を実現する。
【００３７】
赤外線センシング装置１３０は、ナット３２０に固定配置され、冷蔵室に向かって配置されており、物品１５０の表面温度を特定するために、複数の収納スペース１４０に置かれた物品１５０が放射した赤外線照射エネルギーを感知するように構成される。以上の螺旋伝動アセンブリ３００、赤外線センシング装置１３０は、ケース１１０の側壁または後壁に配置されてもよく、好ましい実施例としては、後壁に配置される。 
【００３８】
螺旋伝動アセンブリ３００は、各収納スペース１４０内の所定の高さにおいて感知位置が予め設けられ、これによって、赤外線センシング装置１３０は、感知位置に移動した後で、収納スペースに対して温度感知を行なう。当該感知位置が冷蔵庫内部スペースに基づいて予め設けられてもよい。伝動モータ３１１に対する制御及び係止機構により、赤外線センシング装置が各収納スペースの所定の高さに移動する度に、スクリュ３１０を駆動して回転を停止させ、赤外線センシング装置１３０が当該収納スペースに対する温度感知が完了した後で、赤外線センシング装置１３０を連動させて下または上へ隣接収納スペースの感知位置まで移動させる。 
【００３９】
図４は、本発明の一実施例に係る冷蔵庫の冷蔵室の区画冷却制御装置が適用される冷蔵庫の赤外線センシング装置の伝動機構の概略構成図である。図４に示す冷蔵庫では、同期ベルト伝動アセンブリ４００を利用して赤外線センシング装置１３０に対する移動を実現する。
【００４０】
同期ベルト伝動アセンブリ４００は、冷蔵室内に配置されている。その同期ベルト４２２は垂直平面にあり、かつ、立設されている、複数の収納スペース１４０を挿通した垂直セグメントを含む。同期伝動ベルトは、内周表面に歯形が等ピッチで設けられた１本の周回ベルトと、これに対応するように合致する輪とからなる。それは、ベルト伝動、チェーン伝動及びギア伝動のそれぞれのメリットを総合した。回動時、ベルトの歯と輪の歯溝との噛み合いにより動力を伝達する。
【００４１】
スライダ４２０は、以上の同期ベルト４２２の垂直セグメントに固定配置されて、同期ベルト伝動アセンブリ４００による連動で垂直に移動する。赤外線センシング装置１３０はスライダ４２０に固定配置され、冷蔵室に向かって配置されており、物品１５０の表面温度を特定するために、複数の収納スペース１４０に置かれた物品１５０が放射した赤外線照射エネルギーを感知するように構成される。
【００４２】
同期ベルト伝動アセンブリ４００は、ケース１１０の側壁または後壁に配置されてもよく、好ましい実施例としては、側壁に配置される。赤外線センシング装置１３０は、赤外線透過材料で製造されたセンシング装置のカバープレートによって赤外線を感知する。センシング装置のカバープレートが冷蔵室に向かう表面を、側壁の内面と面一にしてもよく、これによって、冷蔵庫の冷蔵室の美観及び収納スペース１４０の整然を向上させる。 
【００４３】
同期ベルト伝動アセンブリ４００における原動輪４２１は、同期ベルト伝動アセンブリ４００の下端に配置されており、伝動モータ４２５による連動で回転し、同期ベルト４２２を連動させる。従動輪４２４は、同期ベルト伝動アセンブリ４００の上端に配置され、かつ、同期ベルト４２２の内側は、原動輪４２１と従動輪４２４の外縁に巻設され、同期ベルト４２２の歯は、原動輪４２１及び従動輪４２４の歯溝と噛み合って、原動輪４２１による連動で移動する。原動輪４２１と従動輪４２４は、同期ベルト４２２を引き締めることができ、旋回運動をスライダ４２０の直線運動に変換する。好ましい例では、原動輪４２１と従動輪４２４の輪径、歯ピッチが何れも同じであり、かつ、それらの中心のリンクが垂直である。
【００４４】
なお、同期ベルト伝動アセンブリ４００には、さらに、ガイドロッド４２３が設けられてもよい。ガイドロッド４２３は垂直セグメントに平行に配置される。スライダ４２０には、ガイドロッド３２３が挿通されるスルーホールを有し、これによって、ガイドロッド４２３を利用して赤外線センシング装置１３０の移動方向を規定する。ガイドロッド４２３は、各冷蔵室内の所定の高さの箇所において感知位置が予め設けられ、これによって、赤外線センシング装置１３０は、感知位置に移動し、収納スペースに対して温度感知を行なう。
【００４５】
同期ベルト伝動アセンブリ４００には、各収納スペース１４０内の所定の高さにおいて感知位置が予め設けられ、これによって、赤外線センシング装置１３０は、感知位置に移動した後で、収納スペース１４０内の物品１５０を温度感知する。当該感知位置が冷蔵庫内部スペースに基づいて予め設けられてもよい。伝動モータ４２５の制御及び係止機構により各収納スペースの感知位置を特定し、赤外線センシング装置１３０が当該感知位置に移動した後で、原動輪４２１が回転を停止し、赤外線センシング装置１３０が当該収納スペース１４０に対する温度感知が完了した後で、赤外線センシング装置１３０を連動させて下または上へ隣接収納スペース１４０の感知位置まで移動させる。 
【００４６】
図２〜図４に示す様々な赤外線センシング装置１３０は何れも赤外線を放射せず、感知されるスペース内の物品１５０が発射した赤外線及び背景赤外線を受動的に受信し、直接に冷蔵庫内の物品温度の変化領域及び温度を感知し、温度信号を対応する電気信号に変換するものである。従来技術における赤外線センサと比べて、赤外線センシング装置１３０は、熱源点位置だけを検知する代わりに、全体収納スペース１４０の赤外線を検出することができる。そして、赤外線センシング装置１３０は、矩形視野を有する赤外線レシーバであってもよく、当該矩形視野は、赤外線レシーバの赤外線接収範囲の水平面での投影が仕切板を覆うように構成されてもよい。これによって、赤外線センシング装置１３０は、仕切板上に置かれた物品が放射した赤外線照射エネルギーを感知できる。赤外線レシーバは、赤外線ガイド部材を設けることにより、以上の矩形視野を制限してもよい。検出方位を制限することで、検出精度を向上させ、収納スペースを精確に検知する。以上の異なる実例の相違点は、赤外線センシング装置１３０が収納スペース内の物品温度を感知する方式だけにあり、複数の赤外線センシング装置１３０を用いてそれぞれ感知すること、スクリュ伝動または同期ベルト伝動方式を用いて１つの赤外線センシング装置１３０を連動させて収納スペース内の物品の温度感知を行うことを含む。 
【００４７】
また、本実施例の冷蔵庫には、さらに、冷蔵室の内部環境平均温度を感知するための冷藏環境温度センシング装置（図示せず）が設けられてもよい。当該冷蔵庫の冷蔵室の区画冷却制御装置としては、サーミスタなどの温度センサを用いて実現してもよい。本実施例の冷蔵庫は、赤外線センシング装置１３０で特定される物品温度及び冷蔵室内部環境温度に応じて、冷却制御を行なうことができる。
【００４８】
本実施例に係る冷蔵庫の冷蔵室の区画冷却制御装置が適用される冷蔵庫は、風冷冷蔵庫であってもよい。図５は、本発明の一実施例に係る冷蔵庫の冷蔵室の区画冷却制御装置が適用される冷蔵庫の冷却システムの模式図であり、図６は、本発明の一実施例に係る冷蔵庫の冷蔵室の区画冷却制御装置が適用される冷蔵庫の冷却システムにおける風路アセンブリの模式図である。当該冷却システムは、風路アセンブリ、圧縮機、冷蔵ダンパ２５０、ファン２３０などを含む。当該冷蔵庫は、蒸発器、圧縮機、凝縮器、スロットルなのど部材を利用して冷媒配管を介して冷却循環回路が構成されてもよく、圧縮機をオンした後、蒸発器に冷を放射させる。
【００４９】
蒸発器を蒸発器室に設けてもよい。蒸発器によって冷却された空気がファン２３０を介して貯蔵室へ伝送される。例えば、冷蔵庫の貯蔵室の内部を変温室、冷蔵室及び冷凍室に仕切ってもよく、貯蔵室の最上層を冷蔵室とし、冷蔵室の下層を変温室とし、変温室の下層を冷凍室とし、蒸発器室を冷凍室の後部に設けてもよい。ファン２３０が蒸発器室の上方の出口に配置される。これと対応して、蒸発器によって冷却された空気の供給風路は、変温室に繋がる、変温室へ送風するための変温供給風路と、冷凍室に繋がる、冷凍室へ送風するための冷凍供給風路と、冷蔵室に繋がる、冷蔵室へ送風するための冷藏供給風路とを含む。
【００５０】
本実施例では、風路アセンブリは、冷蔵室へ送風する風路システムであり、当該風路アセンブリは、風路フロアパネル２１０、分岐送風装置２２０、ファン２３０を含む。風路フロアパネル２１０上には、それぞれ複数の収納スペース１４０に通じる複数の風路２１４が区画されている。各風路２１４はそれぞれ、異なる収納スペース１４０に通じ、例えば、図１に示す実施例では、第１収納スペースに通じる第１給風口２１１、第２収納スペースに通じる第２給風口２１２、及び第３収納スペースに通じる第３給風口２１３を有してもよい。
【００５１】
分岐送風装置２２０が冷藏供給風路に配置され、冷藏供給風路が冷蔵室の裹面に形成される。分岐送風装置２２０は、冷熱源（例えば、蒸発器室）に接続される給風口２２１と、それぞれ複数の風路２１４に接続される複数の割当口２２２とを含む。割当口２２２がそれぞれ異なる風路２１４に接続される。当該分岐送風装置２２０は、ファン２３０で発生される、冷熱源からの冷気を風口２２１を介して異なる割当口２２２に割り当て、異なる風路２１４を介して異なる収納スペース１４０に進入させるように制御され得る。
【００５２】
分岐送風装置２２０は、収納スペース１４０に対して異なる風路を個別に設ける代わりに、冷熱源からの冷却気流を集中して割り当ててもよく、これによって、冷却効率が向上する。当該分岐送風装置２２０は、ケース２２３、調節子２２４、カバープレート２２５を含んでもよい。ケース２２３上には、給風口２２１と割当口２２２が形成されており、カバープレート２２５とケース２２３とを組み立てることで、分岐送風キャビティが形成される。調節子２２４が当該分岐送風キャビティ内に配置される。調節子２２４は、少なくとも１つの遮蔽部２２６を含む。遮蔽部２２６は可動にケース２２３内に設けられており、複数の割当口２２２のそれぞれの吹き出し面積を調整するために、複数の割当口２２２を遮蔽するように制御されるように構成される。
【００５３】
ファン２３０の送風は調節子２２４によって割り当てられ、異なる収納スペース１４０に供給される。図６に示す実施例では、分岐送風装置２２０は、７種もの送風状態を実現することができ、例えば、第１給風口２１１に供給する割当口２２２を個別に開けること、第２給風口２１２に供給する割当口２２２を個別に開けること、第３給風口２１３に供給する割当口２２２を個別に開けること、第１給風口２１１と第２給風口２１２に供給する割当口２２２を同時に開けること、第１給風口２１１と第３給風口２１３に供給する割当口２２２を同時に開けること、第２給風口２１２と第３給風口２１３に供給する割当口２２２を同時に開けること、第１給風口２１１、第２給風口２１２と第３給風口２１３に供給する割当口２２２を同時に開けることを含む。実施例の冷蔵庫は１つ仕切板によって２つの収納スペースが仕切られる場合、分岐送風装置２２０は、２つの割当口が設けられてもよく、同時に３種の送風状態を有すればよい。分岐送風を行なうとき、調節子２２４は回転し、必要な風量の大きさに応じて回転の角度を決定し、遮蔽部２２６の間に形成されるガイド口は、対応する割当口２２２に位置合わせされる。
【００５４】
ケース２２３は、分岐送風キャビティ内にモータ２２７、２つの突当ポスト２２８、位置決め座凹溝２４３が設けられている。突当ポスト２２８の作用は、モータ２２７の運転中において、調節子２２４の運動をより正確にし、かつ、電源を投入する度にまたは一定時間後、調節子２２４が何れも突当ポスト２２８からの開始箇所まで移動し、それを始点として指定の回動位置に回動することである。位置決め座凹溝２４３の作用は、調節子２２４が３０度の角度位置を回動するときに位置決めすることである。調節子２２４上には、ディスクバネシート２２９（このディスクバネシート２２９としては、トー ションバネに置換してもよい）、錘ブロック２４１及び位置決めピン２４５が配置されている。ディスクバネシート２２９の一方端がカバープレート２２５上に固定され、他方端が調節子２２４の運転に従ってプリテンショして逆方向の力を印加し、常に調節子２２４に対して一定の付勢力を印加する。これによって、直流ステッピングモータ２２７の回動機構の歯隙による揺れ問題を抑制できる。ピボット部は、調節子２２４の主体径方向とは反対方向に錘部が延びており、錘部の遠端には、錘ブロック２４１が配置されてオフセットトルクを除去する。位置決めピン２４５は、上下移動可能に（押しバネによって）調節子２２４上に固定される。ケース２２３上には、それに合わせる位置決め座凹溝２４３が設けられている。
【００５５】
なお、本実施例の冷蔵庫が３つの収納スペース１４０を有する仕切室を例として説明する。実際の使用時には、具体的な使用要求に応じて、異なる冷蔵庫の要求を満たすように、赤外線センシング装置１３０、風路２１４、割当口２２２、給風口の数を変更してもよい。例えば、以上の紹介により、２つの貯蔵スペースを有する冷蔵室の送風システムが容易に得られる。
【００５６】
本実施例の冷蔵庫の冷蔵室の区画冷却制御装置７００は、以上の冷蔵庫を冷蔵室区画制御するためのものである。図７は、本発明の一実施例に係る冷蔵庫の冷蔵室の区画冷却制御装置７００の概略ブロック図である。当該冷蔵庫の冷蔵室の区画冷却制御装置７００は、一般的に、状態特定モジュール７０２、第１温度取得モジュール７０４、第１比較モジュール７０６、識別子設定モジュール７０８、駆動モジュール７１０を含む。また、本実施例の冷蔵庫の冷蔵室の区画冷却制御装置７００の技術効果をさらに向上させるために、第２温度取得モジュール７１２、環境温度判断モジュール７１４、ダンパ制御モジュール７１６、第２比較モジュール７１８、初期化モジュール７２０、第３温度取得モジュール７２２をさらに設けてもよい。以上のモジュールを冷蔵庫の実際配置状況及び使用ニーズに応じて柔軟に配置してもよく、一部の好ましい実施例では、以上のモジュールのうち一部又は全部を選択的に配置してもよい。
【００５７】
状態特定モジュール７０２は、冷蔵室が冷却状態になることを特定するように構成されてもよい。当該冷却状態は、冷藏環境温度センシング装置で感知して得られた冷蔵室の内部環境平均温度が予め設定された全体冷却オン温度閾値以上であると特定された後、オンされてもよい。状態特定モジュール７０２は、冷蔵室が冷却状態になることを特定する好ましいステップとしては、第２温度取得モジュール７１２は冷藏環境温度センシング装置により冷蔵室の内部環境平均温度を取得し、環境温度判断モジュール７１４は冷蔵室の内部環境平均温度が予め設定された全体冷却オン温度閾値以上であるか否かを判断し、ダンパ制御モジュール７１６は環境温度判断モジュール７１４の判断結果がＹＥＳであれば、冷熱源と分岐送風装置との間に配置された冷蔵ダンパを開放し、冷蔵室を冷却状態に入らせる。
【００５８】
第１温度取得モジュール７０４は、赤外線センシング装置で感知された複数の収納スペース内の貯蔵物品の温度を取得することができる。複数の収納スペース内の貯蔵物品の温度は、１つの赤外線検出装置１３０が各収納スペースの感知位置に移動した後で検出することにより得られてもよく、各収納スペースに分布された複数の赤外線検出装置１３０によってそれぞれ感知して得られてもよい。
【００５９】
第１比較モジュール７０６は、各収納スペース内の貯蔵物品の温度と各収納スペースのそれぞれに予め設定された領域冷却オン温度閾値とを比較するように構成されてもよい。識別子設定モジュール７０８は、物品温度が領域冷却オン温度閾値よりも大きい収納スペースに対応する冷却状態識別子をオンに設定する。
【００６０】
駆動モジュール７１０は、分岐送風装置を駆動して、冷却状態識別子がオンの収納スペースに冷却気流が供給される状態まで稼動させる。
【００６１】
ダンパ制御モジュール７１６は、冷蔵室の内部環境平均温度が予め設定された全体冷却オン温度閾値よりも小さい場合、冷蔵ダンパが開状態であるか否かを判断し、ＹＥＳであれば、冷蔵室の内部環境平均温度及び／又は各収納スペース内の貯蔵物品の温度が予め設定された冷蔵室冷却停止条件を満たすか否かを判断し、冷蔵室冷却停止条件を満たすとき、冷蔵ダンパを閉鎖する。
【００６２】
以上の冷蔵室冷却停止条件は、各収納スペース内の貯蔵物品の温度が何れも各収納スペースごとに予め設定された領域冷却オフ温度閾値よりも小さく、各収納スペースの領域冷却オフ温度閾値が領域冷却オン温度閾値よりも小さいこと、または、冷蔵室の内部環境平均温度が予め設定された全体冷却オフ温度閾値よりも小さいことであってもよい。
【００６３】
冷蔵室冷却停止条件の別の好ましい条件は、冷蔵室の内部環境平均温度が予め設定された全体冷却オフ温度閾値よりも小さい場合、各収納スペース内の貯蔵物品の温度が何れも各収納スペースごとに予め設定された領域冷却オン温度閾値よりも小さく、各収納スペースの領域冷却オフ温度閾値が領域冷却オン温度閾値よりも小さいこと、または、全体冷却オフ温度閾値から冷蔵室の内部環境平均温度を差し引いた差分が予め設定された余裕値よりも大きいことである。
【００６４】
第２比較モジュール７１８は、各収納スペース内の貯蔵物品の温度と各収納スペースのそれぞれに予め設定された領域冷却オフ温度閾値とをそれぞれ比較し、各収納スペースの領域冷却オフ温度閾値が領域冷却オン温度閾値よりも小さい。これに対応して、識別子設定モジュール７０８は、さらに、物品温度が領域冷却オフ温度閾値よりも小さい収納スペースに対応する冷却状態識別子をオフに設定するように構成される。
【００６５】
初期化モジュール７２０は、さらに、冷蔵庫の電源投入起動信号を取得する、及び、冷蔵庫の冷却システムを初期化するように構成されてもよく、冷却システムが圧縮機、冷蔵ダンパ、ファン、及び分岐送風装置を含む。好ましい実施例では、初期化モジュール７２０は、さらに、圧縮機、ファン、及び冷蔵ダンパをオフとし、分岐送風装置を駆動して初期位置まで稼動させるように構成されてもよい。
【００６６】
また、区画冷却制御装置７００における第３温度取得モジュール７２２は、さらに、冷凍室の温度を取得し、冷凍室の温度に基づいて冷凍室を冷却制御するように構成されてもよく、例えば、冷凍室の温度に基づいて冷凍室の冷却判断を行ない、判断結果に応じて圧縮機、ファン、及び冷蔵ダンパの起動／停止状態を調節するするように構成されてもよい。これに対応して、状態特定モジュール７０２は、冷凍室の冷却判断が完了した後、冷蔵室が冷却状態になることを特定するように構成される。
【００６７】
本実施例は、さらに、冷蔵庫の冷蔵室の区画冷却制御方法を提供する。当該冷蔵庫の冷蔵室の区画冷却制御方法は、冷蔵庫の冷蔵室に対して区画冷却を実現するために、以上の何れかの実施例の冷蔵庫の冷蔵室の区画冷却制御装置７００によって実行されてもよい。図８は、本発明の一実施例に係る冷蔵庫の冷蔵室の区画冷却制御方法の模式図である。当該冷蔵庫の冷蔵室の区画冷却制御方法は、以下のステップを含む。
【００６８】
ステップＳ８０２では、冷蔵室が冷却状態になることを特定する。
【００６９】
ステップＳ８０４では、赤外線センシング装置で感知された複数の収納スペース内の貯蔵物品の温度を取得する。
【００７０】
ステップＳ８０６では、各収納スペース内の貯蔵物品の温度を各収納スペースごとに予め設定された領域冷却オン温度閾値とそれぞれ比較する。
【００７１】
ステップＳ８０８では、物品温度が領域冷却オン温度閾値よりも大きい収納スペースに対応する冷却状態識別子をオンに設定する。
【００７２】
ステップＳ８１０では、分岐送風装置を駆動して、冷却状態識別子がオンの収納スペースに冷却気流が供給される状態まで稼動させる。
【００７３】
以上のステップＳ８０２では、冷蔵室が冷却状態になることを特定するステップは、冷蔵室の内部環境平均温度を取得することと、冷蔵室の内部環境平均温度が予め設定された全体冷却オン温度閾値以上であるか否かを判断することと、ＹＥＳであれば、冷熱源と分岐送風装置との間に配置された冷蔵ダンパを開放し、冷蔵室を冷却状態に入らせることとをさらに含む。
【００７４】
冷蔵室の内部環境平均温度が予め設定された全体冷却オン温度閾値よりも小さい場合、冷蔵ダンパが開状態であるか否かを判断し、ＹＥＳであれば、冷蔵室の内部環境平均温度及び／又は各収納スペース内の貯蔵物品の温度が予め設定された冷蔵室冷却停止条件を満たすか否かを判断し、冷蔵室冷却停止条件を満たすとき、冷蔵ダンパを閉鎖する。
【００７５】
以上の冷蔵室冷却停止条件は、各収納スペース内の貯蔵物品の温度が何れも各収納スペースのそれぞれに予め設定された領域冷却オフ温度閾値よりも小さいこと、または、冷蔵室の内部環境平均温度が予め設定された全体冷却オフ温度閾値よりも小さいことを含んでもよく、各収納スペースの領域冷却オフ温度閾値が領域冷却オン温度閾値よりも小さい。
【００７６】
別の好ましい冷蔵室冷却停止条件は、冷蔵室の内部環境平均温度が予め設定された全体冷却オフ温度閾値よりも小さい場合、各収納スペース内の貯蔵物品の温度が何れも各収納スペースごとに予め設定された領域冷却オン温度閾値よりも小さく、各収納スペースの領域冷却オフ温度閾値が領域冷却オン温度閾値よりも小さいこと、または、全体冷却オフ温度閾値から冷蔵室の内部環境平均温度を差し引いた差分が予め設定された余裕値よりも大きいことを含む。
【００７７】
ステップＳ８０６の後に、各収納スペース内の貯蔵物品の温度と各収納スペースのそれぞれに予め設定された領域冷却オフ温度閾値とを比較することと、物品温度が領域冷却オフ温度閾値よりも小さい収納スペースに対応する冷却状態識別子をオフに設定することとをさらに含んでもよく、各収納スペースの領域冷却オフ温度閾値が領域冷却オン温度閾値よりも小さい。
【００７８】
また、ステップＳ８０２の前に、冷蔵庫の電源投入起動信号を取得することと、冷蔵庫の冷却システムを初期化することとをさらに含んでもよく、冷却システムが圧縮機、冷蔵ダンパ、ファン及び分岐送風装置を含む。これに対応して、以上の初期化のフローは、圧縮機、ファン及び冷蔵ダンパをオフとし、分岐送風装置を駆動して初期位置まで稼動させることを含んでもよい。また、初期化の後に、さらに、先ず、冷凍室を冷却制御し、冷凍室制御が完了した後、ステップＳ８０２及びその後のステップの冷蔵室区画冷却を実行してもよい。冷凍室を制御する好ましいフローとしては、冷凍室の温度を取得し、冷凍室の温度に基づいて冷凍室を冷却制御し、例えば、冷凍室の温度に基づいて冷凍室の冷却判断を行ない、判断結果に応じて圧縮機、ファン、及び冷蔵ダンパの起動／停止状態を調節する。冷凍室の冷却判断が完了した後、ステップＳ８０２を実行する。
【００７９】
本実施例の冷蔵庫の冷蔵室の区画冷却制御方法は、冷蔵室内物品の貯蔵効果を向上させるために、複数の収納スペースが仕切られている冷蔵室をそれぞれ温度制御してもよい。以下、３つの収納スペースを有する冷蔵室を例として、以上の区画冷却制御方法及び区画冷却制御装置を紹介する。
【００８０】
本実施例の冷蔵庫の冷蔵室の区画冷却制御方法を使用するには、冷蔵庫の冷蔵室の特徴及び貯蔵物品の種類に応じて、以下のパラメータ：領域冷却オン温度閾値、領域冷却オフ温度閾値、全体冷却オン温度閾値、全体冷却オフ温度閾値、冷蔵室設定温度及び冷凍室設定温度を予め特定してもよい。表１は、３つの収納スペースを有する冷蔵室を区画冷却するために設定されるパラメータ表を示している。
【００８１】
【表１】
0006431996.tif 000002
【００８２】
表１から分かるように、冷凍室について、センサの検出温度値をＦＴとし、冷凍室に設定される温度をＦ-ｓｅｔとし、冷却オン温度閾値をＦ-ｏｎとし、冷却オフ温度閾値をＦ-ｏｆｆとする。Ｆ-ｓｅｔとしては、ユーザによって自分で設定され又はデフォルト値を使用してもよく、Ｆ-ｏｎとＦ-ｏｆｆとしては、Ｆ-ｓｅｔに基づいて特定されてもよく、一般的に、関係Ｆ-ｏｎ＞Ｆ-ｓｅｔ＞Ｆ-ｏｆｆを満たす。
【００８３】
冷蔵室について、冷藏環境温度センシング装置で感知された冷蔵室の内部環境平均温度をＲＴとし、冷蔵室に設定される温度をＲ-ｓｅｔとし、全体冷却オン温度閾値をＲ-ｏｎとし、全体冷却オフ温度閾値をＲ-ｏｆｆとする。Ｒ-ｓｅｔとしては、ユーザによって自分で設定され又はデフォルト値を使用してもよく、Ｒ-ｏｎとＲ-ｏｆｆとしては、Ｒ-ｓｅｔに基づいて特定されてもよく、一般的に、関係Ｒ-ｏｎ＞Ｒ-ｓｅｔ＞Ｒ-ｏｆｆを満たす。
【００８４】
冷蔵室の第１収納スペースについて、赤外線センシング装置で感知された第１収納スペース内の貯蔵物品の最高温度をＩＲＴ１とし、第１収納スペースの領域冷却オン温度閾値をＩＲ１-ｏｎとし、第１収納スペースの領域冷却オフ温度閾値をＩＲ１-ｏｆｆとする。ＩＲ１-ｏｎとＩＲ１-ｏｆｆとしては、Ｒ-ｓｅｔ及び第１収納スペース内の貯蔵物品の種類に基づいて特定されてもよく、一般的に、関係ＩＲ１-ｏｎ＞ＩＲ１-ｏｆｆを満たす。
【００８５】
冷蔵室の第２収納スペースについて、赤外線センシング装置で感知された第２収納スペース内の貯蔵物品の最高温度をＩＲＴ２とし、第２収納スペースの領域冷却オン温度閾値をＩＲ２-ｏｎとし、第２収納スペースの領域冷却オフ温度閾値をＩＲ２-ｏｆｆとする。ＩＲ２-ｏｎとＩＲ２-ｏｆｆとしては、Ｒ-ｓｅｔ及び第２収納スペース内の貯蔵物品の種類に基づいて特定されてもよく、一般的に、関係ＩＲ２-ｏｎ＞ＩＲ２-ｏｆｆを満たす。
【００８６】
冷蔵室の第３収納スペースについて、赤外線センシング装置で感知された第３収納スペース内の貯蔵物品の最高温度をＩＲＴ３とし、第３収納スペースの領域冷却オン温度閾値をＩＲ３-ｏｎとし、第３収納スペースの領域冷却オフ温度閾値をＩＲ３-ｏｆｆとする。ＩＲ３-ｏｎとＩＲ３-ｏｆｆとしては、Ｒ-ｓｅｔ及び第３収納スペース内の貯蔵物品の種類に基づいて特定されてもよく、一般的に、関係ＩＲ３-ｏｎ＞ＩＲ３-ｏｆｆを満たす。
【００８７】
以上の冷蔵室の異なる収納スペースについて、領域冷却オン温度閾値ＩＲ１-ｏｎ、ＩＲ２-ｏｎ、ＩＲ３-ｏｎをそれぞれ同じにしてもよく、異にしてもよいが、領域冷却オフ温度閾値ＩＲ１-ｏｆｆ、ＩＲ２-ｏｆｆ、ＩＲ３-ｏｆｆもそれぞれ同じにしてもよく、異にしてもよい。 
【００８８】
各収納スペースに対して、さらに、収納スペースに送風する必要があるか否かを指示するための冷却状態識別子を予め配置してもよく、例えば、第１収納スペースの冷却識別子をｇａｔｅ１とし、第２収納スペースの冷却識別子をｇａｔｅ２とし、第３収納スペースの冷却識別子をｇａｔｅ３とする。以上のｇａｔｅ１、ｇａｔｅ２、ｇａｔｅ３をオン及びオフにセットすることができ、例えば、「０」がオフを表し、「１」がオンを表す。
【００８９】
図９は、本発明の一実施例に係る冷蔵庫の冷蔵室の区画冷却制御方法の全体フローブロック図である。冷蔵庫の冷却コントローラは、以下のステップを実行する。
【００９０】
ステップＳ９０２では、冷蔵庫の電源投入起動信号を取得する。
ステップＳ９０４では、冷蔵庫の冷却システムを初期化する。
ステップＳ９０６では、冷凍室冷却制御を行なう。
ステップＳ９０８では、冷蔵室区画冷却制御を行なう。
【００９１】
ステップＳ９０８が完了した後、ステップＳ９０６に戻り、冷凍室冷却制御の判断フローを実行する。以下、それぞれ以上のステップを詳細に説明する。
【００９２】
図１０は、本発明の一実施例に係る冷蔵庫の冷蔵室の区画冷却制御方法における冷蔵庫冷却システム初期化のフローチャートである。そのフローは、ステップＳ１００２からＳ１００８を含む。
【００９３】
ステップＳ１００２では、圧縮機をオフとし、蒸発器に冷の放射を停止させる。
ステップＳ１００４では、ファンをオフとし、冷蔵室への気流供給を停止する。
ステップＳ１００６では、冷蔵ダンパを閉鎖し、冷蔵室と蒸発器室とを遮断する。
ステップＳ１００８では、分岐送風装置を初期位置に復旧させ、例えば、図６に示す分岐送風装置の調節子を突当ポストからの開始箇所まで移動させる。 
【００９４】
以上の初期化を利用して、デフォルト状態に復旧することができ、前回のパワーダウン時に部材の稼動が悪いことに起因する制御ロジックの乱れを回避する。
【００９５】
図１１は、本発明の一実施例に係る冷蔵庫の冷蔵室の区画冷却制御方法における冷凍室の冷却制御のロジックフローチャートである。冷凍室冷却制御を開始した後、以下のステップを実行してもよい。
【００９６】
ステップＳ１１０２では、ＦＴがＦ-ｏｎよりも大きいか否かを判断し、ＹＥＳであれば、ステップＳ１１０４を実行し、ＮＯであれば、ステップＳ１１０８を実行する。
ステップＳ１１０４では、圧縮機がオン状態にあるか否かを判断し、ＹＥＳであれば、ステップＳ１１１０を実行し、ＮＯであれば、ステップＳ１１０６を実行する。
ステップＳ１１０６では、圧縮機及びファンをオンする。
ステップＳ１１０８では、圧縮機がオン状態にあるか否かを判断し、ＹＥＳであれば、ステップＳ１１１０を実行し、ＮＯであれば、ステップＳ１１１６を実行する。
ステップＳ１１１０では、ＦＴがＦ-ｏｆｆよりも小さいか否かを判断し、ＹＥＳであれば、ステップＳ１１１２を実行し、ＮＯであれば、ステップＳ１１１６を実行する。
ステップＳ１１１２では、圧縮機が高回転速度稼動状態にあるか否かを判断し、ＹＥＳであれば、ステップＳ１１１６を実行し、ＮＯであれば、ステップＳ１１１４を実行する。
ステップＳ１１１４では、圧縮機及びファンをオフとする。
ステップＳ１１１６では、冷凍室冷却制御を終了し、冷蔵室区画冷却への移行を用意する。
【００９７】
図１１に示す冷凍室冷却制御フローでは、圧縮機及びファンの起動、停止、及び稼動状態を制御し、完了後、冷蔵室区画冷却の制御に移行する。
【００９８】
図１２は、本発明の一実施例に係る冷蔵庫の冷蔵室の区画冷却制御方法における加速冷却フローのロジックフローチャートである。当該加速冷却フローは、冷蔵庫の冷蔵室内のある収納スペース内に高温食物を入れることに適用し、当該高温食物の温度は、明らかに室温及び冷蔵室の設定温度Ｒ-ｓｅｔよりも高い可能性がある。当該加速冷却フローは主として、以下のステップを含む。
【００９９】
ステップＳ１２０２では、冷凍室冷却制御を終了した後、冷蔵室区画冷却を起動する。当該ステップは、図１１に示すステップＳ１１１６の後に実行されてもよい。
【０１００】
ステップＳ１２０４では、圧縮機及びファンを駆動して高速で稼動させ、冷蔵ダンパをオンする。ステップＳ１２０４では、具体的な実現フローとしては、先ず、ＩＲＴ１＞ＩＲ１-ｏｎ+Ｍ、ＩＲＴ２＞ＩＲ２-ｏｎ+Ｍ、ＩＲＴ３＞ＩＲ３-ｏｎ+Ｍのうち何れかの状況が生じるか否かを判断し、ここで、Ｍは予め設定された定数であり、ある収納仕切室に温度が第１収納仕切室のオン冷却温度閾値Ｍ度よりも高い物品が存在している、すなわち、高温食物を貯蔵したことを表す。ＹＥＳと判断すれば、ファンを駆動して高回転速度で稼動させ、かつ、圧縮機を高回転速度で稼動させ、ＮＯと判断すれば、圧縮機が高回転速度状態であるか否かを判断し、圧縮機が高回転速度状態でなければ、ステップＳ１２１４を実行し、圧縮機が高回転速度状態であれば、直接に冷蔵ダンパをオンする。ステップＳ１２０４では、ファン、圧縮機、及び冷蔵ダンパを駆動する過程が何れも状態判断過程を含み、必要な稼動状態にあると判断すれば、重複した制御を行わない。駆動ファン及び圧縮機を高速で稼動し、冷蔵ダンパを開放した後、ステップＳ１２０６を実行する。
【０１０１】
ステップＳ１２０６では、複数の収納スペースに設けられたオン温度閾値及びオフ温度閾値を用いて冷却識別子を特定し、第１収納スペースを例として紹介する。ＩＲＴ１＞ＩＲ１-ｏｎを判断し、ＹＥＳであれば、ｇａｔｅ１をオンに設定し、ＮＯであれば、ｇａｔｅ１がオン状態であるか否かを判断し、ｇａｔｅ１がオフ状態であれば、次の収納スペースを判断し、ｇａｔｅ１がオン状態であれば、ＩＲＴ１＜ＩＲ１-ｏｆｆを判断し、ＹＥＳであれば、ｇａｔｅ１をオフに設定し、次の収納スペースを判断し、ＮＯであれば、直接に次の収納スペースを判断する。これに対応して、他の収納スペース、例えば、第２収納スペース、第３収納スペースについて、第１収納スペースと類似の判断過程を使用してもよい。図１２では、３つの収納スペースの判断過程を例とするが、実際使用過程において、収納スペースの数に応じて増加または減少してもよく、各収納スペースの判断過程のタイミングが限定されず、逐次に実行してもよいし、並行に実行してもよい。
【０１０２】
ステップＳ１２０８では、ステップＳ１２０６で設定されたｇａｔｅ１、ｇａｔｅ２、ｇａｔｅ３の状態に応じて、分岐送風装置の稼動状態を特定し、分岐送風装置を駆動して当該状態で稼動させる。図１３〜図２０はそれぞれ分岐送風装置の８種の稼動状態を示す。図１３では、分岐送風装置の初期状態を示し、当該初期状態から開始し、調節子２２４が時計廻りに所定の角度を回動するように制御され、位置決めピン２４５をそのうち１つの位置決め座凹溝２４３に挿入させ、遮蔽部２２６を利用してそれぞれ異なる割当口を遮蔽し、これによって、冷却気流を対応する収納仕切室に進入させる。図１４では、分岐送風装置の第１状態を示し、第１割当口が遮蔽され、第２割当口と第３割当口とが開けられる。図１５では、分岐送風装置の第２状態を示し、第２割当口が遮蔽され、第１割当口と第３割当口とが開けられる。図１６では、分岐送風装置の第３状態を示し、第２割当口が開けられる。第１割当口と第３割当口とが遮蔽される。図１７では、分岐送風装置の第４状態を示し、第３割当口が開けられ、第１割当口と第２割当口とが遮蔽される。図１８では、分岐送風装置の第５状態を示し、第１割当口が開けられ、第２割当口と第３割当口とが遮蔽される。図１９では、分岐送風装置の第６状態を示し、第１割当口と第２割当口が開けられ、第３割当口が遮蔽される。図２０では、分岐送風装置の第７状態を示し、調節子２２４が別の突当ポストに当たり、第１割当口、第２割当口、第３割当口の全てが開けられる。 
【０１０３】
表２は、３つの収納スペースを有する冷蔵室を区画冷却するために設定される分岐送風装置稼動状態と各収納スペース冷却識別子との対応関係を示す。
【０１０４】
【表２】
0006431996.tif 000003
【０１０５】
表２において、ｏｎは、冷却識別子がオンに対応することを表し、ｏｆｆは、冷却識別子がオフに対応することを表す。以上の記述によれば、本実施例は、さらに、２つの収納スペース及び３つよりも多くの収納スペースを有する状況について、分岐送風装置の状態調整を行なってもよい。
【０１０６】
ステップＳ１２１０では、冷却状況に応じて、加速冷却が完了したか否かを判断する。ステップＳ１２１０では、具体的な実現フローとしては、先ず、収納スペースの温度が同時にＩＲＴ１＜ＩＲ１-ｏｆｆ、ＩＲＴ２＜ＩＲ２-ｏｆｆ、ＩＲＴ３＜ＩＲ３-ｏｆｆの全ての条件を満たすか否かを判断し、満たせば、ダンパを閉鎖し、高回転速度モードを終了し、満たさなければ、ＲＴ＜Ｒ-ｏｆｆを満たす否かを判断し、ＲＴがＲ-ｏｆｆ以上であれば、ステップＳ１２１２に移行し、ＲＴ＜Ｒ-ｏｆｆであれば、収納スペースの温度が同時にＩＲＴ１＜ＩＲ１-ｏｎ、ＩＲＴ２＜ＩＲ２-ｏｎ、ＩＲＴ３＜ＩＲ３-ｏｎの全ての条件を満たすか否かを判断し、満たせば、同様にダンパを閉鎖し、高回転速度モードを終了し、満たさなければ、ＲＴ＜（Ｒ-ｏｆｆ-ｋ）を満たすか否かを判断し、すなわち、冷蔵室環境平均温度ＲＴが既にＲ-ｏｆｆよりも低くｋ度に達し、ここで、ｋは予め設定された定数である。ＲＴ＜（Ｒ-ｏｆｆ-ｋ）を満たせば、ダンパを閉鎖し、高回転速度モードを終了し、ＲＴがＲ-ｏｆｆ-ｋ以上であれば、ステップＳ１２１２に移行する。ダンパを閉鎖し、高回転速度モードを終了した後、さらに、冷凍室温度ＦＴがＦＴ＜Ｆ-ｏｆｆを満たすか否かを判断し、ＹＥＳであれば、圧縮機をオフとし、ステップＳ１２１２に移行し、ＮＯであれば、直接にステップＳ１２１２に移行する。
【０１０７】
ステップＳ１２１２では、冷凍室冷却制御フローに戻り、例えば、戻ってステップＳ１１０２を実行する。
ステップＳ１２１４では、通常区画冷却制御フローに移行する。
【０１０８】
図２１は、本発明の一実施例に係る冷蔵庫の冷蔵室の区画冷却制御方法における通常冷却フローのロジックフローチャートである。当該通常冷却フローは、冷蔵庫の冷蔵室平均温度が高くなり、収納仕切室の状況に応じて冷却する状況に適用する。当該通常冷却フローは主として、以下のステップを含む。
【０１０９】
ステップＳ２１０２では、冷蔵室区画冷却を起動する。当該ステップは、図１２に示すステップＳ１２１４の後に実行されてもよい。
【０１１０】
ステップＳ２１０４では、ファン及び冷蔵ダンパを駆動してオンさせる。ステップＳ２１０４の具体的な実現フローとしては、先ず、ＲＴ＞Ｒ-ｏｎを満たすか否かを判断し、ＲＴ＞Ｒ-ｏｎを満たせば、ファンがオンされているか否かを判断し、オンされていれば、冷蔵ダンパをオン状態にし、それから、ステップＳ２１０８を実行し、ファンがオンされていなければ、戻ってステップＳ２１１２を実行し、ＲＴがＲ-ｏｎ以下であれば、冷蔵ダンパが開状態であるか否かを判断し、オン状態であれば、ステップＳ２１０４に移行し、冷蔵ダンパがオフ状態であれば、戻ってステップＳ２１１２を実行する。
【０１１１】
ステップＳ２１０６では、冷蔵室の内部環境平均温度及び／又は各収納スペース内の貯蔵物品の温度が予め設定された冷蔵室冷却停止条件を満たすか否かを判断し、冷蔵室冷却停止条件を満たすとき、冷蔵ダンパを閉鎖し、それから、直接に戻ってステップＳ２１１２を実行し、冷蔵室冷却停止条件を満たさなければ、ステップＳ２１０８を実行する。
【０１１２】
ステップＳ２１０８では、複数の収納スペースに設けられたオン温度閾値及びオフ温度閾値を用いて冷却識別子を特定し、当該ステップは、図１２におけるステップＳ１２０６の判断フローと基本的に同じであり、複数の貯蔵スペースをそれぞれ判断し、それぞれの冷却識別子を特定する。
【０１１３】
ステップＳ２１１０では、ステップＳ２１０８で設定されたｇａｔｅ１、ｇａｔｅ２、ｇａｔｅ３の状態に応じて分岐送風装置の稼動状態を特定し、分岐送風装置を駆動して当該状態で稼動させる。当該ステップは、図１２におけるステップＳ１２０８のフローと基本的に同じであり、分岐送風装置の状態とｇａｔｅ１、ｇａｔｅ２、ｇａｔｅ３との対応関係が表２に示されている。
【０１１４】
ステップＳ２１１２では、冷凍室冷却制御フローに戻り、例えば、戻ってステップＳ１１０２を実行する。
【０１１５】
以上のステップＳ２１０６で使用される冷蔵室冷却停止条件は、複数種の形式がある。図２２は、本発明の一実施例に係る冷蔵庫の冷蔵室の区画冷却制御方法における冷蔵室冷却停止を判断するロジックフローチャートである。ステップＳ２２０２では、冷蔵室冷却停止判断フローを起動した後、順に以下のステップを実行する。
【０１１６】
ステップＳ２２０４では、同時にＩＲＴ１＜ＩＲ１-ｏｆｆ、ＩＲＴ２＜ＩＲ２-ｏｆｆ、ＩＲＴ３＜ＩＲ３-ｏｆｆの全ての条件を満たすか否かを判断し、満たせば、冷蔵ダンパを閉鎖し、図２１におけるステップＳ２１１２を実行し、満たさなければ、ステップＳ２２０６を実行する。
【０１１７】
ステップＳ２２０６では、ＲＴ＜Ｒ-ｏｆｆを満たすか否かを判断し、すなわち、冷蔵室の環境平均温度が予め設定されたオフ温度閾値よりも低く、ＲＴ＜Ｒ-ｏｆｆであれば、ステップＳ２２０８の判断ステップを実行し、ＲＴがＲ-ｏｆｆ以上であれば、直接に図２１におけるステップＳ２１０８を実行する。
【０１１８】
ステップＳ２２０８では、同時にＩＲＴ１＜ＩＲ１-ｏｎ、ＩＲＴ２＜ＩＲ２-ｏｎ、ＩＲＴ３＜ＩＲ３-ｏｎの全ての条件を満たすか否かを判断し、ＹＥＳであれば、冷蔵ダンパを閉鎖し、図２１におけるステップＳ２１１２を実行し、満たさなければ、ステップＳ２２１０の判断ステップを実行する。
【０１１９】
ステップＳ２２１０では、ＲＴ＜（Ｒ-ｏｆｆ-ｋ）を満たすか否かを判断し、すなわち、冷蔵室環境平均温度ＲＴが既にＲ-ｏｆｆよりも低くｋ度に達し、すなわち、Ｒ-ｏｆｆとＲＴとの減算の差分がｋよりも大きく、ここで、ｋは予め設定された定数であり、以上の予め設定された余裕値を表し、ＹＥＳであれば、冷蔵ダンパを閉鎖する。ＮＯであれば、図２１におけるステップＳ２１１２を実行し、直接に図２１におけるステップＳ２１０８を実行する。
【０１２０】
図２２は、冷蔵室冷却停止条件の好ましい状況を示している。一部の好ましいの簡便な判断フローでは、ステップＳ２２０４及びステップＳ２２０６のステップのみを実行してもよく、ＲＴ＜Ｒ-ｏｆｆを特定した後で冷蔵ダンパを閉鎖し、図２１におけるステップＳ２１１２を実行し、ＲＴがＲ-ｏｆｆ以上であれば、直接に図２１におけるステップＳ２１０８を実行し、ステップＳ２２０８及びステップＳ２２１０を省略する。テストの結果、当該省略される冷却停止条件も制御の効果を奏し得るが、効果が完全な図２２のフローよりも悪い。
【０１２１】
以上の具体的な実施例の冷蔵庫の冷蔵室の区画冷却制御方法に対する説明から分かるように、本実施例の区画冷却制御方法は、様々な冷藏収納スペースの状況に適用可能であり、冷蔵室区画冷却の要求を効率に実現した。なお、本方法は、３つの貯蔵スペースを有する冷蔵室を制御するのに限定されず、簡単な変形により２つの収納スペース及び３つよりも多くの収納スペースを有する冷蔵室に対して分岐送風冷却制御を行なうのに適用されてもよい。
【０１２２】
本実施例の冷蔵庫の冷蔵室の区画冷却制御方法及び区画冷却制御装置は、冷蔵庫の冷蔵室が複数の収納スペースに分割される状況に適用し、冷蔵室が冷却状態になった後、赤外線センシング装置で感知された複数の収納スペース内の貯蔵物品の温度を利用して、置かれた物品が放射した赤外線照射エネルギーを受信することにより冷蔵庫内の熱源の位置と温度を精確に特定し、感知して得られた貯蔵物品の温度と予め設定された領域冷却オン温度閾値とを比較し、比較結果に応じて各収納スペースに対する冷却状態を特定し、分岐送風装置が冷却状態に応じて冷却気流を各収納スペース内に割り当てることで、制御がより精確となり、収納スペースの貯蔵物品の状況に応じて冷却制御を行なうことを保証し、全体冷蔵室を冷却する電気エネルギーが無駄になることを回避する。さらに、本実施例の冷蔵庫の冷蔵室の区画冷却制御方法及び区画冷却制御装置は、さらに温度が高い物品を快速に降温することができ、温度が高い物品からの貯蔵された他の物品に対する影響を低減させ、冷蔵庫の冷蔵室の貯蔵効果を向上させ、食物の栄養流失を低減する。もっとさらに、本実施例の冷蔵庫の冷蔵室の区画冷却制御方法及び区画冷却制御装置は、冷蔵室内全体環境温度及び各収納スペース内貯蔵物品の温度に対する総合判断により、冷蔵室の冷却方式をこれに対応するように調整し、冷蔵室冷却制御の柔軟性が向上する。
【０１２３】
この文書では、本発明の複数の例示的実施例を詳細に記載しているが、本発明の精神及び範囲を逸脱しない限り、本発明の開示内容に基づいて、本発明の仕組みを満たす多くの他の変更または補正を直接に特定または推定できるということは、当業者に分かるべきである。したがって、本発明の範囲は、これらの全ての他の変更または補正をカバーしていると理解されるべきである。
【図１】
0006431996.tif 000004
【図２】
0006431996.tif 000005
【図３】
0006431996.tif 000006
【図４】
0006431996.tif 000007
【図５】
0006431996.tif 000008
【図６】
0006431996.tif 000009
【図７】
0006431996.tif 000010
【図８】
0006431996.tif 000011
【図９】
0006431996.tif 000012
【図１０】
0006431996.tif 000013
【図１１】
0006431996.tif 000014
【図１２】
0006431996.tif 000015
【図１３】
0006431996.tif 000016
【図１４】
0006431996.tif 000017
【図１５】
0006431996.tif 000018
【図１６】
0006431996.tif 000019
【図１７】
0006431996.tif 000020
【図１８】
0006431996.tif 000021
【図１９】
0006431996.tif 000022
【図２０】
0006431996.tif 000023
【図２１】
0006431996.tif 000024
【図２２】
0006431996.tif 000025